(57)【要約】  対象物の表面上に投影するための動的パターンを歯科用カメラ内で生成すると同時に、ノイズを低減し、３次元（３Ｄ）測定のためのデータ密度を増加させるために光学アレイ生成器を利用するためのデバイス、方法およびシステム。本明細書では、測定対象物の表面上に光学的特徴を生成するために、投影光パターンが使用され、対象物を測定するために、三角測量原理に従って動作する光学的３Ｄ測定方法が使用される。【選択図】図４
2021527206.tif 000002
【特許請求の範囲】
【請求項１】
投影のための複数の動的パターンを生成するための光学アレイ生成器と、
前記複数の動的パターンを測定対象物の表面上に合焦させるために配置された第１の結像光学系と、
前記測定対象物の前記表面による前記複数の動的パターンの反射から形成された複数の反射画像を記録するために配置された画像センサと、
前記複数の反射画像を前記画像センサ上に結像するために配置された第２の結像光学系と
を備えるカメラであって、
前記光学アレイ生成器は、（ｉ）各々の領域の光度が別個に制御される複数の離散領域を含む光源、（ｉｉ）前記複数の動的パターンを形成するために前記光源からの光を像面に結像するように構成された複数のレンズを備えるレンズアレイ、および（ｉｉｉ）前記光源の光を前記レンズアレイ上へ方向付けるように構成されたコリメータをさらに含み、
前記光源の前記複数の領域の光度は、時間の経過とともに変動するように複数の動的パターンを生成するように電子的に制御される、カメラ。
【請求項２】
前記複数のレンズの各々は、両凸レンズ、球面レンズ、またはシリンドリカルレンズである、請求項１に記載のカメラ。
【請求項３】
前記光源の前記複数の離散領域は、ＬＥＤダイ、レーザダイオード、および他端に他の光源が取り付けられた複数の光ファイバの一端からなる群から選択される、請求項１に記載のカメラ。
【請求項４】
複数のコリメータおよび複数の光源をさらに備える、請求項１に記載のカメラ。
【請求項５】
前記記録画像を処理するためのデジタル信号処理ユニットをさらに備える、請求項１に記載のカメラ。
【請求項６】
前記画像センサは、画素内復調を実行するように構成される、請求項１に記載のカメラ。
【請求項７】
前記光源は、ＬＥＤダイの２×２ＬＥＤアレイである、請求項１に記載のカメラ。
【請求項８】
前記レンズアレイの厚さは、５０μｍ〜１０ｍｍである、請求項１に記載のカメラ。
【請求項９】
前記レンズアレイは、ガラスキャリアと、前記ガラスキャリアの両側に成形された２つのポリマー層と、前記光源の光を選択的に変更するために前記ガラスキャリアに貼り付けられた構造化マスクとを含む、請求項１に記載のカメラ。
【請求項１０】
前記構造化マスクは、前記光源からの光にバイナリコードまたはカラーコードを刻印するための構造化カラーフィルタである、請求項９に記載のカメラ。
【請求項１１】
前記複数の動的パターンは非周期的である、請求項１に記載のカメラ。
【請求項１２】
前記レンズアレイの前記複数のレンズの中心は、前記非周期的動的パターンを生成するために個々にオフセットされる、請求項９に記載のカメラ。
【請求項１３】
前記複数の動的パターンは周期的である、請求項１に記載のカメラ。
【請求項１４】
前記レンズアレイは、入射レンズと出射レンズの対を含み、前記入射レンズは、フーリエレンズとしての機能を果たし、前記出射レンズは、フィールドレンズとしての機能を果たし、各々の対は、前記像面に副画像を生成する、請求項１に記載のカメラ。
【請求項１５】
前記レンズアレイは、フーリエレンズとしての機能を果たす入射レンズを有する第１のレンズアレイと、フィールドレンズとしての機能を果たす出射レンズを有する第２のレンズアレイとを含み、前記第１のマイクロレンズアレイおよび前記第２のマイクロレンズアレイは、片面プロファイルを有し、互いに向かい合わせになるように構成される、請求項１に記載のカメラ。
【請求項１６】
対象物を測定するための複数の動的パターンを生成する方法であって、
コリメータのための構造化光を生成するために光源の複数の離散領域の各々の光度を電子的に制御するステップと、
前記コリメータを使用して前記光源からの前記構造化光をレンズアレイ上へ方向付けるステップと、
前記レンズアレイの複数のレンズを使用して前記構造化光の副画像を生成するステップであって、前記副画像は、前記複数の動的パターンを形成するために前記レンズアレイの焦点面に形成される、副画像生成ステップと、
前記複数の動的パターンを測定対象物の表面上に合焦させるステップと、
複数の反射画像を前記画像センサ上に結像するステップと、
前記画像センサを用いて前記複数の反射画像を記録するステップと、
前記光源の変調信号を使用して前記対象物の３次元画像を取得するために、前記複数の反射画像を処理するステップと
を含む、前記方法。
【請求項１７】
時系列順に異なるパターンを投影し、評価して、完全なパターンを投影するために受信される３Ｄデータ点の総数と同じまたは実質的に同じ総数の３Ｄデータ点を受信することによって、前記対象物の平均放射照度を低減するステップをさらに含む、請求項１６に記載の方法。
【請求項１８】
対象物を測定するための複数の動的パターンを生成するためのシステムであって、
コリメータのための構造化光を生成するために光源の複数の離散領域の各々の光度を電子的に制御し、
前記コリメータを使用して前記光源からの前記構造化光をレンズアレイ上へ方向付けし、
前記レンズアレイの複数のレンズを使用して前記構造化光の副画像を生成し、この場合、前記副画像は、前記複数の動的パターンを形成するために前記レンズアレイの焦点面に形成され、
照明光学系を用いて前記複数の動的パターンを前記測定対象物の表面に結像し、
画像センサを用いて前記対象物の前記表面からの複数の反射画像を記録し、
前記光源の変調信号を使用して前記対象物の３次元画像を取得するために、前記複数の反射画像を処理する
ように動作可能な少なくとも１つのプロセッサを備える、前記システム。
【発明の詳細な説明】
【技術分野】
【０００１】
本願は、全般的に、カメラ内で動的投影パターンを生成するためのデバイスに関し、より詳細には、３次元（３Ｄ）測定のために対象物の表面上に投影するための動的パターンをカメラ内で生成するために光学アレイ生成器を利用するためのデバイス、方法およびシステムに関する。
【背景技術】
【０００２】
縞投影のような構造化光走査方法では、正弦波縞パターンのような光の構造化パターンで対象物が照明され得る。構造化パターンは、対象物によって幾何学的に歪められ、または位相変調され、その後、投影に対して既知の角度でカメラを用いて画像として記録され得る。フーリエ変換のような技術を用いて、記録された画像を分析することによって歪み、変位または位相変調を計算することができる。例えば、適切な位相アンラッピングアルゴリズム、パターン認識またはエッジ検出方法を使用して、記録画像内のデプスキューが再構成のために３Ｄ座標に変換され得る。例えば、対象物の高さの変化に比例する連続的な位相分布が得られ、アンラップされた位相分布を現実世界の３Ｄ座標にマッピングするようにシステムが調整され得る。
【０００３】
具体的には、３Ｄ情報は、投影パターンの投影方向に対してある角度傾斜した観察角度で対象物の画像を撮影することによって取得され得る。その後、投影パターンは、対象物の表面形状によって歪められる。投影パターンの特徴は、画像処理アルゴリズムによって、歪んだ画像内の対応する特徴と照合され得る。測定されている対象物が半透明である場合に問題が生じる。投影光は、半透明の対象物を透過し、その深さ方向に拡散される。このような材料の例としては、ワックス、皮膚または歯が挙げられる。その結果、対象物の深さからの拡散非構造化散乱光が対象物の表面によって反射された所望の光に重畳されるので、対象物の表面上のパターンのコントラストが著しく低下する。コントラストの低下により、ノイズが信号振幅よりも大きくなり得るため、投影特徴の検出が不可能になり得る。同様に、プロジェクタを使用した立体撮影の場合には、投影画像と記録画像との間に全く相関が見られない場合がある。この状況における改善可能な点は、センサ上の光量を増加させて、信号に対するセンサのショットノイズを低減することである。しかしながら、これは、画像センサ画素のフルウェルキャパシティによって技術的に制限される。さらに、「対象物ノイズ」（例えば粗い表面または不均一な着色から、対象物自体によって引き起こされる外乱）は、光量を増加させることによって低減することができない。
【発明の概要】
【０００４】
上記に関連した既存の制限および他の制限は、対象物の表面上に投影するための動的パターンをカメラ／スキャナ内で生成すると同時に、ノイズを低減し、３次元（３Ｄ）測定のためのデータ密度を増加させるために光学アレイ生成器を利用するためのデバイス、方法およびシステムによって克服され得る。本明細書では、測定対象物の表面上に光学的特徴を生成するために、投影光パターンが使用され、対象物を測定するために、三角測量原理に従って動作する光学的３Ｄ測定方法が使用され得る。光パターンは、カメラによって撮像された対象物上に投影され得る。対象物の表面が３Ｄ表面変化のない平面である場合、対応する反射画像内に示されるパターンは、投影光パターンのパターンと同じ（または同様）であり得る。しかしながら、対象物の表面が非平面である場合、対応する画像内の投影された構造化光パターンは、表面形状によって歪められ得る。投影された構造化光パターンの歪みからの情報を使用して、測定されている対象物の３Ｄ表面幾何学的形状を抽出することができる。ノイズ低減およびデータ密度増加設定／技術と共に、様々な構造化照明パターンを使用することにより、対象物の３Ｄ表面プロファイルを測定することができる。
【０００５】
一態様では、本発明は、投影のための複数の動的パターンを生成するための光学アレイ生成器と、複数の動的パターンを測定対象物の表面上に合焦させるためにカメラ内に配置された第１の結像光学系と、測定対象物の表面による複数の動的パターンの反射によって形成された複数の反射画像を記録するためにカメラ内に配置された画像センサと、画像センサ上に複数の反射画像を結像するためにカメラ内に配置された第２の結像光学系とを備える３Ｄカメラであって、光学アレイ生成器は、（ｉ）各々の領域の光度が別個に制御される複数の離散領域を含む光源、（ｉｉ）複数の動的パターンを形成するために光源からの光を像面に結像するように構成された複数のレンズを備えるレンズアレイ、および（ｉｉｉ）光源の光をレンズアレイ上へ方向付けるように構成されたコリメータを備え、光源の複数の領域の光度は、時間の経過とともに変動するように複数の動的パターンを生成するように電子的に制御される、３Ｄカメラを提供する。
【０００６】
別の態様では、本発明は、１つまたは複数の以下の特徴を含み得る。（ｉ）複数のレンズの各々が両凸レンズであるカメラ、（ｉｉ）光源の複数の離散領域がＬＥＤダイ、レーザダイオード、および他端に他の光源が取り付けられた複数の光ファイバの一端からなる群から選択されるカメラ、（ｉｉｉ）複数のコリメータおよび複数の光源をさらに備えるカメラ、（ｉｖ）記録画像を処理するためのデジタル信号処理ユニットをさらに備えるカメラ、（ｖ）画像センサが画素内復調を実行するように構成されたカメラ、（ｖｉ）光源がＬＥＤダイの２×２ＬＥＤアレイであるカメラ、（ｖｉｉ）複数のレンズの各々が球面レンズであるカメラ、（ｖｉｉｉ）複数のレンズの各々がシリンドリカルレンズであるカメラ、（ｉｘ）レンズアレイの厚さが５０μｍ〜１０ｍｍであるカメラ、（ｘ）レンズアレイがガラスキャリア、ガラスキャリアの両側に成形された２つのポリマー層、および光源の光を選択的に変更するためにガラスキャリアに貼り付けられた構造化マスクを備えるカメラ、（ｘｉ）マスクが光源からの光にバイナリコードまたはカラーコードを刻印するための構造化カラーフィルタであるカメラ、（ｘｉｉ）複数の動的パターンが非周期的であるカメラ、（ｘｉｉｉ）非周期的動的パターンを生成するためにレンズアレイの複数のレンズの中心が個別にオフセットされているカメラ、（ｘｉｖ）複数の動的パターンが周期的であるカメラ、（ｘｖ）レンズアレイが入射レンズと出射レンズの対を備え、入射レンズがフーリエレンズとしての機能を果たし、出射レンズがフィールドレンズとしての機能を果たし、各々の対が像面に副画像を生成するカメラ、（ｘｖｉ）レンズアレイがフーリエレンズとしての機能を果たす入射レンズを有する第１のレンズアレイとフィールドレンズとしての機能を果たす出射レンズを有する第２のレンズアレイとを備え、第１のマイクロレンズアレイおよび第２のマイクロレンズアレイが片面プロファイルを有し、互いに向かい合わせになるように構成されるカメラ、および（ｘｖｉｉ）これらの組み合わせ。
【０００７】
一態様では、本発明は、対象物を測定するための複数の動的パターンを生成する方法であって、コリメータのための構造化光を生成するために光源の複数の離散領域の各々の光度を電子的に制御するステップと、コリメータを使用して光源からの構造化光をレンズアレイ上へ方向付けるステップと、レンズアレイの複数のレンズを使用して構造化光の副画像を生成するステップであって、副画像は複数の動的パターンを形成するためにレンズアレイの焦点面に形成される、副画像生成ステップと、複数の動的パターンを測定対象物の表面に合焦させるステップと、複数の反射画像を画像センサ上に結像するステップと、画像センサを用いて複数の反射画像を記録するステップと、光源の変調信号を使用して対象物の３次元画像を取得するために複数の記録画像を処理するステップとを含む、方法を提供する。
【０００８】
一態様では、本発明は、以下の特徴のうちの１つまたは複数を含む方法を提供する。（ｉ）時系列順に動的パターンを投影し、評価して、完全なパターンを投影するために受信される３Ｄデータ点の総数と同じまたは実質的に同じ総数の３Ｄデータ点を受信することによって、対象物の平均放射照度を低減するステップをさらに含む方法、（ｉｉ）対象物の平均放射照度がある係数だけ低減される方法。一態様では、係数は２であり、（ｉｉｉ）レンズアレイの複数のレンズの中心を個別にオフセットすることによって非周期的パターンを生成するステップを含む方法、（ｉｖ）それらの任意の組み合わせ。
【０００９】
さらに別の態様では、本発明は、対象物を測定するための複数の動的パターンを生成するシステムであって、コリメータのための構造化光を生成するために光源の複数の離散領域の各々の光度を電子的に制御し、コリメータを使用して光源からの構造化光をレンズアレイ上へ方向付けし、レンズアレイの複数のレンズを使用して構造化光の副画像を生成し、この場合、副画像は複数の動的パターンを形成するためにレンズアレイの焦点面に形成され、照明光学系を用いて複数の動的パターンを測定対象物の表面上に結像し、画像センサを用いて対象物の表面からの複数の反射画像を記録するステップと、光源の変調信号を使用して対象物の３次元画像を取得するために複数の反射画像を処理するように動作可能な少なくとも１つのプロセッサを備えるシステムを提供する。
【００１０】
さらなる特徴ならびに利点、および本明細書内の様々な実施形態の構造ならびに動作について、添付図面を参照しながら以下で詳細に説明する。
【００１１】
例示的な実施形態は、本明細書内の以下の詳細な説明および添付図面からより十分に理解されるであろう。図面において、同様の要素は、同様の参照文字で表され、これらの要素は、単なる例に過ぎず、したがって、本明細書内の例示的な実施形態を限定するものではない。
【図面の簡単な説明】
【００１２】
【図１】対象物を測定するためのパターンを投影するために使用されるカメラシステムを示す図である。
【図２】図１のシステムのコンピュータシステムの一例のブロック図である。
【図３】構造化照明のためのプロジェクタの概略図である。
【図４】本明細書内の一実施形態に係る光学アレイ生成器を示す図である。
【図５】本明細書内の一実施形態に係る球面レンズアレイによるドットパターンの生成を示す図である。
【図６】本明細書内の一実施形態に係るシリンドリカルレンズアレイによるストライプパターンの生成を示す図である。
【図７】本明細書で説明される例示的な一実施形態を示す図である。
【図８】レンズアレイと追加のマスクとの組み合わせを示す図である。
【図９】本明細書内の一実施形態の２つの投影パターンの関係を示す図である。
【図１０】レンズが向かい合わせで取り付けられた、２つの片面整列レンズアレイを示す図である。
【００１３】
異なる図面は、同じ構成要素を識別するために少なくともいくつかの同一の参照番号を有し得るが、以下では、そのような各々の構成要素について、各図面に関して詳細に説明していない場合がある。
【発明を実施するための形態】
【００１４】
本明細書に記載されている例示的な態様によれば、３次元（３Ｄ）測定のために対象物の表面上に投影するための動的パターンをカメラ（例えば、歯科用カメラ）内で生成するための方法およびシステムが提供される。
【００１５】
一態様では、投影パターンを生成するための光学アレイ生成器２が、カメラ１（例えば、歯科用カメラ）内に設けられ得る。光学アレイ生成器は、コリメータ２１と、ＬＥＤアレイ２０と、レンズアレイ２２とを備え得る。コリメータ２１は、ＬＥＤアレイ２０の光を、サブレンズ２５を備えるレンズアレイ２２上へ方向付けるように構成され得る。コンピュータシステム１００は、所定のパターンで光を放出するように、（ｉ）画像センサ４の露光時間と、（ｉｉ）ＬＥＤアレイ２０のＬＥＤとを制御し、同期させることができる。例えば、いくつかのＬＥＤは、所定のパターンの構造化光を生成するために、他のＬＥＤがオフにされるのと同時にオンにされ得る。本明細書内の一実施形態では、ＬＥＤの時間的な点灯シーケンスが周期的に繰り返され得る。レンズアレイ２２の各々のサブレンズ２５は、制御されたＬＥＤアレイ２０の画像を生成するように構成され得る。したがって、ＬＥＤアレイ２０によって生成された画像／構造化光は、レンズアレイ２２によって副画像２６のアレイに増倍され得る。レンズアレイ２２の副画像２６は、レンズアレイ２２の焦点面２３で合成されて合成画像２７が形成される。レンズアレイ２２のレンズ２５は、照明経路において高い開口数を使用することにより高い光効率を可能にするために両凸レンズであり得る。本明細書内の一実施形態では、両凸レンズの第１の界面は、画像を生成するフーリエレンズとしての機能を果たし得る。第２の界面は、フィールドレンズとしての機能を果たし、カメラシステムの結像光学系の瞳へ光を方向付けることができる。別の実施形態では、カメラ１は、測定対象物１４の表面上に合成画像２７を投影するための投影光学系を備える。本明細書内の一実施形態では、副画像への変換のためにＬＥＤアレイ２０によって生成された画像は、構造化され、可変（非静的）であり得る。本明細書内の一実施形態では、光源はＬＥＤダイ５９を備え得る。別の実施形態では、レーザダイオードまたは他の発光素子（図示せず）が使用され得る。さらに別の実施形態では、光源は、他端に光源が取り付けられた複数の光ファイバの一端から形成され得る。さらに別の実施形態では、各々が複数の光源を有する複数のコリメータ２１が使用され得る。
【００１６】
本明細書内の別の例示的な実施形態によれば、カメラシステム１０１が提供される。カメラシステムは、測定対象物１４上に投影パターンを生成するように構成された光学アレイ生成器２と、反射された投影パターンを記録するためのセンサ４と、記録された画像を処理するためのデジタル信号処理ユニット５とを含み得る。一実施形態では、センサ４は、センサがフォトダイオード、前置増幅器、同期復調器、および積分器を備える、画素内復調機能を含み得る。別の実施形態では、センサ４は、光学アレイ生成器によって生成された異なる投影パターンための画像の連続シーケンスを記録するための２Ｄセンサである。別の実施形態では、システム１０１は、記録された画像をさらに処理し、対象物１４の３次元測定を表示するための取得ユニット６を備える。
【００１７】
本明細書内の別の例示的な実施形態によれば、光学アレイ生成器２を利用して、３次元（３Ｄ）測定のために対象物の表面１５上に投影するための動的パターンをカメラ内で生成する方法が提供される。本明細書内の例示的な一実施形態によれば、該方法は、ＬＥＤアレイ２０から複数の投影パターンを生成するステップと、コリメータ２１を使用してＬＥＤアレイ２０の複数の投影パターンの各々をレンズアレイ２２上へ方向付けるステップと、レンズアレイのサブレンズ２５を用いて複数の投影パターンの各々の副画像２６を生成するステップであって、副画像２６はレンズアレイ２２の焦点面２３内に形成されて合成画像２７を形成する、副画像生成ステップと、複数の投影パターンを測定対象物１４の表面１５上に合焦させるステップと、複数の反射画像を画像センサ４上に結像するステップと、センサ４を用いて対象物の表面１５からの複数の反射画像を記録するステップと、複数の記録画像を処理して対象物の３次元画像を取得するステップとを含む。
【００１８】
一実施形態では、複数の投影パターンを生成するステップは、投影用のＬＥＤアレイを用いて時変パターンを生成することによって測定対象物の平均放射照度を低減することを含み得、この場合、投影パターンの１つまたは複数の標識（例えば、形状、ストライプ、ドット、および／またはその他）は省略される。一実施形態では、投影パターンのｎ番目ごと、例えば１つおきの明るい標識（例えば、ストライプ、格子パターン）は、コンピュータシステム１００によるＬＥＤアレイ２２の制御によって省略され得る。投影パターンの１つおきの明るい標識（例えば、ストライプ）が省略される一実施形態では、対象物１４の平均放射照度は２分の１に低減され得、このことはさらに、対象物１４の拡散背景放射を半減させるが、残りの縞の信号振幅は、同じまたは実質的に同じままである。投影パターンの１つおきの明るい標識（例えば、ストライプ）が省略される一実施形態では、信号対ノイズ比は、２の平方根倍に改善され得る。ストライプの省略は、３Ｄ再構成のための利用可能な特徴の数を減少させ、したがって、１周期の係数だけシフトされた交互パターンは、省略しなかった場合と同じまたは実質的に同じ総数の３Ｄ再構成のための３Ｄデータ点が取得されるように、時系列順に投影される。例えば、一実施形態では、第１の投影パターンおよび第２の投影パターンは、交互の明るいストライプおよび暗いストライプを含む標準投影パターンから得られる。第１の投影パターンは、標準投影パターンの１つおきの明るいストライプを省略することによって得られる。第２の投影パターンは、第１の投影パターンを半周期だけシフトさせることによって得られる。第１の投影パターンおよび第２の投影パターン（すなわち、半周期だけシフトされた第１の投影パターン）を交互に投影することによって、標準投影パターンが投影のために使用された場合と同じまたは実質的に同じ数の３Ｄデータ点が取得され得、したがって、測定対象物に入射する投影ごとの明るいストライプの数、ひいては、測定対象物１４の平均放射照度が低減され得る。
【００１９】
別の実施形態では、記録ステップは、画素内復調機能を備えたセンサ４を用いて実行され得、センサは、フォトダイオード、前置増幅器、同期復調器、および／または積分器を備える。別の実施形態では、記録ステップは、光学アレイ生成器によって生成された異なる投影パターンの画像の連続シーケンスを記録するための２Ｄセンサを用いて実行され得る。別の実施形態では、処理ステップは、記録画像内の投影特徴の位置を特定すること、および記録画像を処理して対象物１４の３次元測定値にすることを含む。
【００２０】
本明細書のさらに別の実施形態では、レンズアレイ２２のレンズ２５は、球面レンズまたはシリンドリカルレンズであり得る。デバイス、方法およびシステムは、３次元測定において生成されるノイズを低減し、対象物を走査するときに収集されるデータの密度を増加させるのに有用であり得る。デバイス、方法およびシステムについて、以下でより詳細に説明する。
光学アレイ生成器、カメラおよびカメラシステム
【００２１】
図１は、カメラ内に動的パターンを生成するためのカメラ１を備え、本明細書内の少なくとも１つの例示的な実施形態に従って構築され、動作され得るカメラシステム１０１のブロック図を示す。該システムはさらに、対象物の３次元表現を生成し、表示するためのコンピュータシステム１００を備え得る。コンピュータシステム１００は、カメラ１と電気的に接続され得る。カメラは、空間的および時間的に変調された光源（例えば、ＬＥＤアレイ２０）と、コリメータ２１と、ＬＥＤアレイの合成画像２７を生成するためのサブレンズ２５を備えるレンズアレイ２２とを備える光学アレイ生成器２を含み得る。合成画像２７は、副画像２６を含み、各々のサブレンズが副画像２６を生成し得る。照明用の結像光学系１２は、合成画像を測定対象物１４上に投影することができる。本明細書内の一実施形態では、結像光学系１２は、走査プロセスまたは露光中に、様々な合成画像を含む動的パターンを対象物１４上に投影する。対象物１４は、例えば、歯、皮膚、歯肉、セラミック、アマルガム、金および／またはその他のものであり得る。カメラはさらに、走査プロセスまたは露光中に、対象物１４によって反射された画像を検出するための結像光学系１３を備える。受信された画像は、例えば、偏向ミラー３または９０°プリズムによってセンサ４に伝搬されて、記録される。センサは、標準的な２Ｄセンサまたは画素内復調機能を有するセンサであり得、センサの各々の画素は、フォトダイオード、前置増幅器、同期復調器、および積分器を含み得る。各々の画素のフォトダイオードは、対象物１４からの光を光電流に変換することができる。次に、光電流が増幅され、同期復調器へ供給され得る。復調器は、光アレイ生成器２の光源の変調信号によって同期され得る。変調周波数は光源によってのみ制限され得ることが分かる。したがって、適切なＬＥＤまたはレーザダイオードが使用される場合に、変調のために使用される周波数は、最大ＭＨｚ範囲内にあり得る。高い変調周波数（例えば、２０ｋＨｚ〜５００ｋＨｚまたは１ｋＨｚ〜１００ＭＨｚ）を使用することは、非常に高い照度が使用されているときでさえ、画素積分器が飽和され得ないという利点を有し得る。復調器出力は、積分器によって露光時間にわたって加算され得る。露光の終了時に、積分された信号は、光変調の振幅に比例し得る。一定の背景光は復調によって抑制される。読み出しのために、画像マトリクスの画素はスイッチマトリクスによって順次アドレスされ、積分器の電圧はデジタル化され、デジタル信号前処理ユニット５に転送される。センサが標準的な２Ｄセンサである場合、センサは、光学アレイ生成器２によって生成された異なる照明パターンに対する画像の連続シーケンスを記録することができる。
【００２２】
露光／走査中に、デジタル信号前処理ユニット５は、センサ４の単一の画像フレームを収集し、このユニットのローカルメモリに画像を記憶することができる。画像は、カメラの処理ユニット５上で前処理され得る、またはさらなる処理ステップのために取得ユニット６に送信され得る。処理は、ノイズを低減するための画像フィルタリング、背景光を除去するために異なる光源を用いて生成された画像の減算、およびエッジ検出のようなステップを含み得る。取得ユニット６は、ディスプレイ１２８と、中央処理ユニット（ＣＰＵ）１２３、およびランダム・アクセス・メモリ（ＲＡＭ）１３３を含むコンピュータプロセッサとを備え得る。
【００２３】
本明細書内の一実施形態では、前処理された画像データは、表面を表す３Ｄ点群を抽出するためにさらに分析され得る。点に適用された歪み補正は、光学系の結像特性を補正する。カメラが記録中に移動されると、異なる視点からの対象物１４の異なる部分を示す一連の点群が生じる。これらの点群は、一貫した３Ｄモデルを提供するために、ＣＰＵ１２３によって個々に回転および平行移動される。この３Ｄモデルは、最終的にディスプレイ１２８上にレンダリングされる。
【００２４】
図３は、縞投影のためのプロジェクタの基本図である。光源１０からの光は、コリメータ１１によってマスク１６上へ方向付けられる。マスク１６からの光は、結像光学系１７によって対象物１４上に投影され、したがって表面１５上で見えるようになる。
【００２５】
図４は、時間的に変動する動的パターンを生成するための光学アレイ生成器２の概略図である。図５は、光アレイ生成器２のＬＥＤアレイ２０の上面図である。コリメータ２１は、ＬＥＤアレイ２０の光をレンズアレイ２２上へ方向付ける。レンズアレイの各々のサブレンズ２５は、ＬＥＤアレイの副画像２６を生成する。本明細書内の一実施形態では、ＬＥＤアレイは、図５に示されているような２×２ＬＥＤアレイ３０であるが、他のＬＥＤアレイが使用されてもよく、例えば、ｎ×ｍＬＥＤ（「ｎ」が１〜１０であり得、「ｍ」が２〜１０であり得る）が使用されてもよいが、これに限定されなくてもよい。副画像２６は、レンズアレイ２２の焦点面２３において合成されて、合成画像２７が形成される。次に、この焦点面内の合成画像２７は、スキャナの照明用結像光学系１２（投影光学系）によって対象物表面上に結像され得る。本明細書内の例示的な一実施形態では、図４に示されているように、ＬＥＤアレイ２０の２つの光源（Ａ、Ｂ）は、コリメータ２１の対物面（Ｘ−Ｙ平面）内に配置される。コリメータ２１の後方では、光源から発せられたビームが２つの傾斜ビーム２４を形成する。ビームは、レンズアレイ２２によって像面２３に合焦され得る。各々の個々のレンズは、１つの焦点対（Ａ'、Ｂ'）を生成し得る。焦点Ａ'と焦点Ｂ'との間のオフセットは、傾斜ビーム２４の入射角およびレンズアレイの焦点距離の選択によって決定され得る。一実施形態では、複数のコリメータ２１および複数の光源が使用され得る。ここでは、光源がコリメータ２１と結合されている。個々のコリメータは、レンズアレイ２２への必要な入射角に従って真っ直ぐに整列され得る。しかしながら、スペースを節約するために、コリメータを平行に整列させ、偏向要素（例えば、ミラー）を使用してレンズアレイ２２への光の入射角を設定することが有利であり得る。
【００２６】
図７は、本明細書内の別の実施形態を示す。コリメータアセンブリ５０は、例えば２つのＬＥＤダイ５９からの光を、入射レンズ／出射レンズ対（５４、５５）を備える両凸シリンドリカルレンズアレイ５１上に合焦させることができ、各々の対は、各々のＬＥＤダイ５９に対して像面５６内にストライプを形成し得る。本明細書内の一実施形態では、２つのＬＥＤダイの中心は、１．５ｍｍ（または、例えば０．５ｍｍ〜１５ｍｍ）離間し得、コリメータは、１０ｍｍの有効焦点距離を有し得る。これは、コリメータアセンブリ５０を出る平行光束に対して、ａｔａｎ（（１．５ｍｍ／２）／１０ｍｍ）＝４．３°（または、例えば、２°〜１０°もしくは０．１°〜３０°）の傾斜角をもたらし得る。レンズアレイ５１の屈折率（例えば、ｎ＝１．５２）により、角度はアレイの基板内で２．８°減少し得る。ストライプが１００μ（または、例えば、２μ〜２００μｍ）の間隔を有する必要があるという要件から、（１００μｍ／２）／ｔａｎ（２．８°）＝１．０ｍｍ（または、例えば、５０μｍ〜１０ｍｍ）のレンズアレイの厚さが得られる。２つの隣接するマイクロレンズの中心間の距離（ピッチ）は、ストライプ間隔の２倍（例えば、２００μｍ）であり得る。セクション５８は、アレイの拡大された一対のレンズの断面である。入射レンズ５４は、フーリエレンズとしての機能を果たし、像面５６内に焦点を生成し得る。出射レンズ５５は、焦点の後ろのビームコーンが確実に像面５６に対して垂直になるようにするフィールドレンズとしての機能を果たし得る。その結果、光は、口径食が発生することなくレンズ５２によって試験対象物５３上に結像され得る。
【００２７】
図８は、本明細書内のさらに別の実施形態を示す。レンズアレイ２２は、２つのポリマー層が成形されたガラスキャリア６０と、ガラスキャリア６０に貼り付けられた構造化マスク６２とを備え得る。ここで、点または線は、マスク６２の使用によって特定の光源に対して選択的に隠され得る。本明細書内の別の実施形態では、マスクは、構造化カラーフィルタであり得、バイナリまたはカラーコードが、ＬＥＤアレイ２０によって生成された周期的パターン上に刻印され得る。
【００２８】
図１０は、ロバストなマイクロリーンアレイ構成が実現され得る本明細書内のさらに別の実施形態を示しており、この構成は、「サンドイッチ」構成であり得、各々が厚い片面プロファイルを有する複数のマイクロレンズアレイ８２（例えば、２つのマイクロレンズアレイ）であって、図１０に示されているように、レンズ５４、５５が互いに位置合わせされ、向かい合わせの状態で取り付けられ得る複数のマイクロレンズアレイ８２を備え得る。本明細書では、入射する平行光線８０は、フーリエレンズとしての機能を果たし、像面５６内に焦点を生成し得る入射レンズ５４に入射し得る。出射レンズ５５は、焦点の後ろのビームコーンが確実に像面５６に対して垂直になるようにするフィールドレンズとしての機能を果たし得る。
３Ｄ測定のために動的パターンをカメラ内で生成するためのコンピュータシステム
【００２９】
３次元（３Ｄ）測定のために対象物の表面上に投影するための動的パターンをカメラ内で生成するシステム１０１について説明したが、ここで、本明細書内の例示的な実施形態の少なくともいくつかに従って使用され得るコンピュータシステム１００のブロック図を示した図２について説明する。本明細書では、この例示的なコンピュータシステム１００に関して様々な実施形態が示されているが、この説明を読めば、他のコンピュータシステムおよび／またはアーキテクチャを使用して本開示を実施する方法が当業者（複数を含む）に明らかになるであろう。
【００３０】
本明細書内の例示的な一実施形態では、コンピュータシステム１００の少なくともいくつかのコンポーネントは、図１のコンピュータシステム１００を形成し得る、または図１のコンピュータシステム１００に含まれ得る。コンピュータシステム１００は、少なくとも１つのコンピュータプロセッサ１２２を含む。コンピュータプロセッサ１２２は、例えば、図１に示されているような中央処理ユニット１２３、多重処理ユニット、特定用途向け集積回路（「ＡＳＩＣ」）、フィールド・プログラマブル・ゲート・アレイ（「ＦＰＧＡ」）などを含み得る。プロセッサ１２２は、通信インフラ１２４（例えば、通信バス、クロスオーバー・バー・デバイス、またはネットワーク）に接続され得る。本明細書内の一実施形態では、プロセッサ１２２は、画素内復調機能を有するセンサ４を有するカメラ１の前処理ユニット５から画像データを取得するＣＰＵ１２３を含む。画像データは、メモリに一時的に記憶され、その後、分析され得る。記録中にカメラ１を移動させると、一連の点群が形成される。ＣＰＵ１２３は、コンピュータシステム１００のディスプレイインターフェース１２６上でレンダリングするための一貫した３Ｄモデルを提供するために、点群を回転および平行移動させ得る。別の実施形態では、ＣＰＵは、センサ４によって検出された画像特徴を投影特徴と照合し、それらを、各々の画像を用いた三角測量によって３Ｄ点群に変換して、別個の点群を形成する。ここで、センサは、画素内復調機能を有していなくてもよい。カメラが移動すると、一連の点群が生じる。これらの点群は、ＣＰＵ１２３によって個々に回転および平行移動されて、一貫した３Ｄモデルが提供され得る。この３Ｄモデルは、最終的にディスプレイ１２８上にレンダリングされる。本明細書内の一実施形態では、画像データ内のエッジまたは特徴の直接検出が実行され得る。本明細書内のさらに別の実施形態では、カメラ１のデジタル信号前処理ユニット５は、コンピュータシステム１００に組み込まれ得る。
【００３１】
ディスプレイインターフェース（または他の出力インターフェース）１２６は、ディスプレイユニット１２８（例示的な一実施形態では、図１のディスプレイユニット１２８を形成し得る、または図１のディスプレイユニット１２８に含まれ得る）上に表示するために、通信インフラ１２４から（またはフレームバッファ（図示せず）から）ビデオグラフィックス、テキスト、および他のデータを転送する。例えば、ディスプレイインターフェース１２６は、グラフィックス処理ユニットを有するビデオカードを含み得る。
【００３２】
コンピュータシステム１００はさらに、コンピュータプロセッサ１２２に情報を送信するためにコンピュータシステム１００のユーザによって使用され得る入力ユニット１３０を含む。本明細書内の例示的な一実施形態では、入力ユニット１３０は、図１の入力ユニット１３０を形成し得る、または図１の入力ユニット１３０に含まれ得る。入力ユニット１３０は、トラックボールまたは他の入力デバイスを含み得る。一例では、ディスプレイユニット１２８、入力ユニット１３０、およびコンピュータプロセッサ１２２は、集合的にユーザインターフェースを形成し得る。
【００３３】
動的パターンを生成する１つまたは複数のステップは、コンピュータ可読プログラム命令の形態で非一時的な記憶装置に記憶され得る。手順を実行するために、プロセッサ１２２は、記憶装置に記憶されている適切な命令をメモリにロードし、その後、ロードされた命令を実行する。
【００３４】
図２のコンピュータシステム１００は、メインメモリ１３２（図１に示されているようなランダム・アクセス・メモリ（「ＲＡＭ」）１２３であり得る）を備え得、さらに二次メモリ１３４を含み得る。二次メモリ１３４は、例えば、ハードディスクドライブ１３６および／または取り外し可能な記憶ドライブ１３８（例えば、フロッピーディスクドライブ、磁気テープドライブ、光ディスクドライブ、フラッシュメモリドライブなど）を含み得る。取り外し可能な記憶ドライブ１３８は、周知の方法で取り外し可能な記憶装置１４０からの読み出し、および／または取り外し可能な記憶装置１４０への書き込みを行う。取り外し可能な記憶装置１４０は、例えば、取り外し可能な記憶ドライブ１３８に書き込まれ、取り外し可能な記憶ドライブ１３８によって読み取られる、フロッピーディスク、磁気テープ、光ディスク、フラッシュメモリデバイスなどであり得る。取り外し可能な記憶装置１４０は、コンピュータ実行可能ソフトウェア命令および／またはデータを記憶する非一時的なコンピュータ可読記憶媒体を含み得る。
【００３５】
さらなる代替形態では、二次メモリ１３４は、コンピュータシステム１００にロードされるコンピュータ実行可能プログラムまたは他の命令を記憶する他のコンピュータ可読媒体を含み得る。このようなデバイスは、取り外し可能な記憶装置１４４およびインターフェース１４２（例えば、プログラムカートリッジおよびカートリッジインターフェース）と、取り外し可能なメモリチップ（例えば、消去可能プログラマブル・リードオンリメモリ（「ＥＰＲＯＭ」）またはプログラマブル・リードオンリメモリ（「ＰＲＯＭ」）および関連するメモリソケットと、ソフトウェアおよびデータを取り外し可能な記憶装置１４４からコンピュータシステム１００の他の部分に転送することを可能にする他の取り外し可能な記憶装置１４４およびインターフェース１４２と、を含み得る。
【００３６】
コンピュータシステム１００はさらに、コンピュータシステム１００と外部デバイスとの間でソフトウェアおよびデータを転送することを可能にする通信インターフェース１４６を含み得る。このようなインターフェースは、モデム、ネットワークインターフェース（例えば、イーサネットカード、Ｂｌｕｅｔｏｏｔｈ、またはＩＥＥＥ８０２．１１ワイヤレスＬＡＮインターフェース）、通信ポート（例えば、ユニバーサルシリアルバス（「ＵＳＢ」）ポートまたはＦｉｒｅＷｉｒｅ（登録商標）ポート）、ＰＣメモリカード国際協会（「ＰＣＭＣＩＡ」）インターフェースなどを含み得る。通信インターフェース１４６を介して転送されるソフトウェアおよびデータは、信号（電子信号、電磁信号、光信号、または通信インターフェース１４６によって送信および／または受信され得る別のタイプの信号であり得る）の形態であり得る。信号は、通信経路１４８（例えば、チャネル）を介して通信インターフェース１４６に供給される。通信経路１４８は、信号を搬送し、ワイヤまたはケーブル、光ファイバ、電話回線、セルラーリンク、無線周波数（「ＲＦ」）リンクなどを使用して実装され得る。通信インターフェース１４６は、コンピュータシステム１００とリモートサーバまたはクラウドベースのストレージ（図示せず）との間でソフトウェアまたはデータまたは他の情報を転送するために使用され得る。
【００３７】
１つまたは複数のコンピュータプログラムまたはコンピュータ制御ロジックは、メインメモリ１３２および／または二次メモリ１３４に記憶され得る。コンピュータプログラムはさらに、通信インターフェース１４６を介して受信され得る。コンピュータプログラムは、コンピュータプロセッサ１２２によって実行されると、コンピュータシステム１００に後述の方法を実行させるコンピュータ実行可能命令を含む。したがって、コンピュータプログラムは、コンピュータシステム１００およびカメラシステム１０１の他のコンポーネントを制御することができる。
【００３８】
別の実施形態では、ソフトウェアは、非一時的なコンピュータ可読記憶媒体に記憶され、取り外し可能な記憶ドライブ１３８、ハードディスクドライブ１３６、および／または通信インターフェース１４６を使用して、コンピュータシステム１００のメインメモリ１３２および／または二次メモリ１３４にロードされ得る。制御ロジック（ソフトウェア）は、プロセッサ１２２によって実行されると、コンピュータシステム１００、より一般的にはいくつかの実施形態におけるカメラシステムに、後述の方法のいくつかを実行させる。
【００３９】
最後に、別の例示的な実施形態では、ＡＳＩＣ、ＦＰＧＡなどのハードウェアコンポーネントを使用して、本明細書内で説明する機能を実行することができる。本明細書内で説明する機能を実行するようなそのようなハードウェアコンポーネントの実装は、この説明から当業者（複数を含む）には明らかであろう。
３Ｄ測定のためにカメラ内で動的パターンを生成する方法
【００４０】
図２のコンピュータシステム１００について説明したが、次に、異なるレンズタイプを使用して投影パターンを生成する方法を示した図４〜図６と併せてカメラシステム１０１についてさらに説明する。
【００４１】
本明細書内の例示的な一実施形態によれば、投影パターンのいくつかのストライプ（例えば、投影パターンの１つおきの明るいストライプ）を省略することによって、投影のための時変パターンが生成され得る。このことにより、対象物の平均放射照度を２分の１に低減することができ、さらに対象物の拡散背景放射も半減させることができる。しかしながら、残りの縞の信号振幅は同じままである。したがって、これは、信号対ノイズ比を２の平方根倍に改善する。これは、画素ノイズが、現代の画像センサ上のショットノイズに左右されるためである。ショットノイズは、画素がランダムに到着する光子に対するカウンタとみなされ得るために生じる。一定の光強度に対して、計数された光子の統計は、ｎの平方根の標準偏差を有する正規分布によって近似され得、ここで、ｎは、計数された光子の平均数である。したがって、信号対ノイズ比（Ｓ／Ｎ）は、Ｓ／Ｎ＝ｎ／ｎの平方根＝ｎの平方根となる。単一画素の読み出しは、計数された背景光の光子ｎｂと所望の信号光子ｎｓとの合計に比例する信号を送ることができる。半透明材料では、背景光が信号（ｎｂ＞＞ｎｓ）を支配し得るので、信号対ノイズ比は、背景光の強度によって決定され得るＳ／Ｎ＝ｎの平方根〜ｎｂの平方根。したがって、１つおきの明るいストライプを省略することによって拡散散乱背景光ｎｂが半減され、残りのストライプの強度が変わらないまま維持されるので信号ｎｓが一定のまま維持される本明細書内の例示的な一実施形態では、信号対ノイズ比は、２の平方根倍に改善される。
【００４２】
本明細書内の例示的な一実施形態では、測定対象物１４に入射する明るいストライプの低減は、３Ｄ再構成のために利用可能な特徴の数を低減する。省略しなかった場合と同じ総数の３Ｄデータ点を受信するために、時系列順にいくつかの異なるパターンを投影して評価することは、同じ空間分解能での３Ｄ再構成を可能にする。例えば、図９に示されているように、第１の投影パターン７１および第２の投影パターン７２は、交互の明るいストライプ７４および暗いストライプ７３を含む標準投影パターン７０から得られる。第１の投影パターン７１は、標準投影パターン７０の１つおきの明るいストライプ７４ｂを省略することによって得られる。第２の投影パターン７２は、第１の投影パターン７１を半周期（０．５×Ｐ１）だけシフトさせることによって得られる。第１の投影パターン７１および第２の投影パターン７２（すなわち、半周期だけシフトされた第１の投影パターン７１）を交互に投影することによって、標準投影パターン７０が投影された場合と同じ数の３Ｄデータ点が取得され得、その結果、測定されている対象物に入射する投影ごとの明るいストライプ７４の数が低減され、ひいては、測定対象物の平均放射照度が低減されると同時に、再構成のために同じ数のデータ点が取得される。第１の投影パターン７１と第２の投影パターン７２とを重畳することによって、標準投影パターン７０が得られる。本明細書内の例示的な一実施形態では、暗いストライプ７３は、オフにされるＬＥＤアレイ２０のＬＥＤに対応し、明るいストライプ７４は、オンにされるＬＥＤアレイ２０のＬＥＤに対応し得る。当業者（ＰＯＳＡ）には、この技術が投影パターンを変化させるように適合され得ることが分かるであろう。例えば、別の標準投影パターン（図示せず）の１つおき、および２つおきの明るいストライプが、別の第１の投影パターン（図示せず）を得るために省略され得、この場合、別の第１の投影パターンは、別の第２の投影パターン（図示せず）を得るために周期の３分の１だけシフトされ、別の第２の投影パターンは、第３の投影パターン（図示せず）を得るために周期の３分の１だけシフトされ、別の第１の投影パターン、別の第２の投影パターンおよび第３の投影パターンの重畳は、別の標準投影パターンを生成する。
【００４３】
投影パターンを得るために、ＬＥＤアレイ内の各々のＬＥＤ／ダイの強度が個別に制御され得る。
【００４４】
ここで図５を参照すると、４つのＬＥＤ（Ａ、Ｂ、Ｃ、Ｄ）のうちの１つのＬＥＤ（Ａ）のみが発光され、ドットパターン３１は、露光中に透過される特徴の４分の１（１／４）および平均光強度の４分の１（１／４）のみを有するパターンで、レンズアレイの像面に生成され得る。したがって、４つのＬＥＤ全てが同時にオンにされるときに生じる散乱光の量と比較して、より少ない量の散乱光が生じる。４つのＬＥＤダイ（Ａ、Ｂ、Ｃ、Ｄ）が、設定によって縮小画像のアレイに結像されることが分かる。１つのＬＥＤのみがオンされると、間引きドットパターンが形成される。別のＬＥＤがオンにされ、第１のＬＥＤがオフにされる場合、シフトされた間引きドットパターンが作成される。したがって、対象物１４に送信すべきＬＥＤアレイ３０内の完全な情報は、４つのＬＥＤを連続的にオンにし、オンにされた各々のＬＥＤについて対応する反射画像を記録することによって得られる。
【００４５】
球面レンズのアレイは、図５に示されているようなドットパターンを生成するために使用され得るが、シリンドリカルレンズの線形アレイは、図６に示されているような縞パターンを生成するために使用され得ることがわかる。片面レンズが使用される場合もある。ここで、光源（ＬＥＤ）は、像面２３に垂直な列を成して配置され得る。各々のレンズは、図６に示されているような各々の光源のストライプ状の像を生成し得る。それぞれの光源を連続的に発光させることによって、横方向にシフトされた縞パターンが、投影および記録のために生成され得る。
【００４６】
本発明のさらなる一実施形態では、立体画像化および再構成が使用され得る。立体的対象物再構成は、複数の視点から観察された対象物の異なる画像から対応する画素間の視差を通して対象物の空間形状および位置を推定することによって３Ｄ対象物を再構成する。ステレオビジョン技術の原理は三角測量であり、対象物の固有の輪郭が２つの平行でないカメラから撮影された写真を用いて決定され得る。ステレオビジョン手法は、２つのカメラからの光素子間の対応関係に依存し得、この対応関係は、決定することが困難である場合がある。立体的対象物再構成における曖昧さを回避するために、非周期的な投影パターンが使用され得る。これらの非周期的パターンはさらに、レンズアレイ２２内のレンズの中心が個々にオフセットされる場合に、上記の方法によって生成され得る。公称グリッド位置からのレンズのオフセットはランダムであり得、レンズ直径の２分の１を超えてはならない。同様に、非周期的タイリングは、レンズ構成の基礎となり得る。
【００４７】
規則的なレンズアレイのパターンの周期性を回避する別の方法は、レンズアレイの焦点面の近くにパターン化されたマスク６２を配置することであり得る。ここで、特定のレンズおよび光源の組み合わせによって生成される個々のストライプまたはスポットが抑制され得る。例えば、立体画像化では、１つの光源は、高密度の３Ｄ点のための完全なストライプまたはドットパターンを作成するために使用され得、別の光源は、図８に示されているように、立体画像の曖昧さのない照合のための追加情報を提供するために、間引きされたランダムなドットパターンを生成するために使用され得る。レンズアレイ２２によって生成された周期的パターン上に追加のカラーコードを追加するために、レンズアレイ２２の焦点面内で構造化カラーフィルタを使用することもでき、前記コードは光源ごとに個別に変更可能である。
【００４８】
時系列的な投影は、全密度３Ｄ再構成のために複数の画像取得を必要とし得る。対象物が移動する、またはカメラ／スキャナが移動すると、対象物再構成における望ましくないアーチファクトが生じ得る。したがって、完全な３Ｄ情報を一度に取得することが望ましい場合がある。時系列的な取得の代替形態は、個々の画像フレームのスペクトル符号化である。この目的のために、スペクトルの重なりが小さい複数の狭帯域光源が使用され得る。全ての光源が同時に発光状態にある場合、複数の着色パターンが対象物上で同時に重畳され得る。その後、対応するスペクトルチャネルを有するカラーカメラ（図示せず）が個々の画像を同時に記録することができる。最も単純なケースでは、標準的なＲＧＢカラーセンサがこの目的のために使用され得る。４色以上の色が使用される場合、ハイパースペクトルセンサが使用され得る。
【００４９】
さらに別の実施形態では、相補的パターンが生成され得る。パターンが同じフィルファクタを有する場合、拡散背景ノイズは、拡散背景が両方の画像において同じであるので、２つの相補的対象物画像（例えば、一方のパターンにおける明るい領域が他方のパターンにおける暗い領域に対応する２つのパターン）を減算することによって除去され得る。相補的パターンの例としては、各々が半周期または他の形でオフセットされた格子パターン、ストライプパターン、またはドットパターンを挙げることができる。
【００５０】
本明細書に記載されている実施形態の利点は、可動部品がないため、ロバスト性を含むという点である。さらに、光学装置はスライドまたはグリッド構造を含むとは限らないので、コリメータ２１からの光は、ほとんどまたは全く吸収されずに、レンズアレイ２２を通過して、照明１２のための結像光学系に至る。さらに、デジタル・マイクロミラー・デバイス（ＤＭＤ）または液晶デバイス（ＬＣＤ）を使用するカメラのような他のデバイスと比較して、コンパクトなサイズであるために、スペースが節約され得る。
【００５１】
上記説明から、本明細書で説明される例示的な実施形態は、カメラ内で動的投影パターンを生成するためのデバイス、方法、およびシステムを提供することが理解され得る。
【００５２】
別段の定義がない限り、本明細書内で使用されている全ての技術用語および科学用語は、本発明が属する技術分野の当業者によって一般に理解されている意味と同じ意味を有するものとする。本明細書に記載されるものと同様または同等である方法および材料が本開示の実践または試験において使用され得るが、好適な方法および材料は、上記に記載されている。本明細書内で言及される全ての刊行物、特許出願、特許、および他の参考文献は、適用可能な法律および規制によって許容される範囲内で、その内容全体が参照によって組み込まれるものとする。本開示は、その精神または本質的な属性から逸脱することなく、他の特定の形態で具現化されてもよく、したがって、本発明の実施形態は、あらゆる点において、例示的であり、限定的ではないと考えられるのが望ましい。本明細書内で使用されている任意の見出しは、便宜のみを目的としたものであり、法的または制限効果を有するものではない。
【図１】
2021527206.tif 000003
【図２】
2021527206.tif 000004
【図３】
2021527206.tif 000005
【図４】
2021527206.tif 000006
【図５】
2021527206.tif 000007
【図６】
2021527206.tif 000008
【図７】
2021527206.tif 000009
【図８】
2021527206.tif 000010
【図９】
2021527206.tif 000011
【図１０】
2021527206.tif 000012
【国際調査報告】
2021527206.tif 000013
2021527206.tif 000014
2021527206.tif 000015